(57)【要約】      （修正有）【課題】種々のサイズの物品を包装箱内に安定的に保持できると共に、保管スペースを削減可能な支持部材用シートを提供する。【解決手段】包装箱に収容される物品を支持する支持部材を形成する支持部材用シートであって、対向する一対の側辺２ａ〜２ｄを有する支持板を備え、一対の側辺の中央の対向部分に一対の切欠きが形成され、一方の切欠き４ｂ、５ｂの外縁が、一対の側辺と平行な底部１１、２１と、この底部から突出する突出部１２、２２と、この突出部に形成されるスリット１３、２３とを有する。支持板が、一対の側辺に垂直な他対の側辺を有し、他対の側辺の中央の対向部分に他対の切欠きが形成され、他対の切欠きのうちの一方の切欠きの外縁が、他対の側辺と平行な底部と、この底部から突出する突出部と、この突出部に形成されるスリットとを有するとよい。【選択図】図１
0003206423.tif 000002
【実用新案登録請求の範囲】
【請求項１】
包装箱に収容される物品を支持する支持部材を形成する支持部材用シートであって、
対向する一対の側辺を有する支持板を備え、
上記一対の側辺の中央の対向部分に一対の切欠きが形成され、
一方の切欠きの外縁が、上記一対の側辺と平行な底部と、この底部から突出する突出部と、この突出部に形成されるスリットとを有する支持部材用シート。
【請求項２】
上記支持板が、上記一対の側辺に垂直な他対の側辺を有し、
上記他対の側辺の中央の対向部分に他対の切欠きが形成され、
上記他対の切欠きのうちの一方の切欠きの外縁が、上記他対の側辺と平行な底部と、この底部から突出する突出部と、この突出部に形成されるスリットとを有する請求項１に記載の支持部材用シート。
【請求項３】
上記一対の側辺の各両端部から対向方向に延出する浮き上がり防止板を有する請求項１又は請求項２に記載の支持部材用シート。
【請求項４】
上記浮き上がり防止板の側縁が切欠きの外縁から連続して形成されている請求項３に記載の支持部材用シート。
【請求項５】
請求項３又は請求項４に記載の支持部材用シートと、
底板及び対向する一対の側板を有し、支持部材用シートから形成される支持部材を収容可能な包装箱に組み立て可能な包装箱用シートと
を備え、
上記一対の側辺の間隔が上記一対の側板の間隔と略等しく、かつ上記浮き上がり防止板の延出方向長さが上記側板の上下方向長さと略等しいシートセット。
【考案の詳細な説明】
【技術分野】
【０００１】
本考案は、支持部材用シート及びシートセットに関する。
【背景技術】
【０００２】
段ボールシートを組み立ててなる包装箱が物品の保管用、運搬用等として広く用いられている。また、この包装箱と共に、包装箱内で物品を安定的に保持するための支持部材が用いられることもある。
【０００３】
このような支持部材としては、合成樹脂フィルムを用いたものが存在しており、合成樹脂フィルムを用いた支持部材として例えば物品配送用箱（特開２００６−５２０１８号公報参照）が発案されている。
【０００４】
上記公報に記載の支持部材は、包装箱内において物品を上下から挟持する２つの内箱によって構成され、この２つの内箱の対向面に合成樹脂フィルムが張設されている。この支持部材は、２つの内箱の対向面に張設される合成樹脂フィルムによって物品を挟持することで、包装箱内で物品を安定的に保持できるとされている。
【先行技術文献】
【特許文献】
【０００５】
【特許文献１】特開２００６−５２０１８号公報
【考案の概要】
【考案が解決しようとする課題】
【０００６】
しかしながら、上記公報に記載の支持部材は、２つの内箱にそれぞれ張設される合成樹脂フィルムによって物品を挟持するものであるため、サイズの大きい物品を保持し難いという不都合を有する。つまり、サイズの大きい物品を２つの内箱によって挟持した場合、合成樹脂フィルムが物品のサイズに対応して十分に伸長せず物品を包装箱内に収容できないおそれや、合成樹脂フィルムによって物品が必要以上に圧迫されることでこの物品が損傷するおそれや、合成樹脂フィルムが破断して物品の保護機能が不十分となるおそれがある。また、上記公報に記載の支持部材は、合成樹脂フィルムが張設された２つの内箱を予め用意しておく必要があり、この内箱を保管するための比較的大きな保管スペースを要するという不都合を有する。
【０００７】
本考案は、このような不都合に鑑みてなされたものであり、種々のサイズの物品を包装箱内に安定的に保持できると共に、保管スペースを削減可能な支持部材用シート及びシートセットの提供を目的とするものである。
【課題を解決するための手段】
【０００８】
上記課題を解決するためになされた本考案に係る支持部材用シートは、包装箱に収容される物品を支持する支持部材を形成する支持部材用シートであって、対向する一対の側辺を有する支持板を備え、上記一対の側辺の中央の対向部分に一対の切欠きが形成され、一方の切欠きの外縁が、上記一対の側辺と平行な底部と、この底部から突出する突出部と、この突出部に形成されるスリットとを有する。
【０００９】
当該支持部材用シートは、支持板の一対の側辺の中央の対向部分に一対の切欠きが形成されており、一方の切欠きの外縁が、一対の側辺と平行な底部、この底部から突出する突出部及びこの突出部に形成されるスリットを有しているので、例えば帯状の合成樹脂フィルムの一端側を上記スリットに挟み込んだ状態で支持板上に物品を載置し、この合成樹脂フィルムを物品に巻き付けることで種々のサイズの物品を固定することができる。当該支持部材用シートは、合成樹脂フィルムの一端側を上記スリットに固定した状態でこの合成樹脂フィルムを物品に巻き付けることができるので巻き付け作業性に優れる。また、当該支持部材用シートは、一対の切欠きの形成部分が一対の側辺の内側に凹んでいるため、この凹み部分によって合成樹脂フィルムをガイドすることができ、これにより合成樹脂フィルムを容易に巻き付けることができる。従って、当該支持部材用シートから形成される支持部材は、種々のサイズの物品を包装箱内に安定的に保持することができる。さらに、当該支持部材用シートは、１枚の平面状のシート体として保管することができるので、保管スペースを削減することができる。
【００１０】
上記支持板が、上記一対の側辺に垂直な他対の側辺を有し、上記他対の側辺の中央の対向部分に他対の切欠きが形成され、上記他対の切欠きのうちの一方の切欠きの外縁が、上記他対の側辺と平行な底部と、この底部から突出する突出部と、この突出部に形成されるスリットとを有するとよい。このように、上記支持板が、上記一対の側辺に垂直な他対の側辺を有し、上記他対の側辺の中央の対向部分に他対の切欠きが形成され、上記他対の切欠きのうちの一方の切欠きの外縁が、上記他対の側辺と平行な底部と、この底部から突出する突出部と、この突出部に形成されるスリットとを有することによって、物品の形状等に合わせて一対の切欠き及び他対の切欠きを使い分けることで物品をより適切に固定することができる。
【００１１】
当該支持部材用シートは、上記一対の側辺の各両端部から対向方向に延出する浮き上がり防止板を有するとよい。このように、上記一対の側辺の各両端部から対向方向に延出する浮き上がり防止板を有することによって、この浮き上がり防止板を包装箱の上下方向と平行に折り曲げて保持することで、当該支持部材用シートから形成される支持部材の包装箱内における上下方向のブレを抑制することができ、物品の包装箱内における安定性をさらに向上することができる。
【００１２】
上記浮き上がり防止板の側縁が切欠きの外縁から連続して形成されているとよい。このように、上記浮き上がり防止板の側縁が切欠きの外縁から連続して形成されていることによって、上述の凹み部分に幅方向の両端が収まるように合成樹脂フィルム巻き付け易く、これにより合成樹脂フィルムを容易に巻き付けることができる。また、上記浮き上がり防止板の側縁が切欠きの外縁から連続して形成されていることによって、上記浮き上がり防止板の幅を大きくして、この浮き上がり防止板の強度を高め、支持部材の包装箱内における上下方向のブレをより的確に抑制することができる。
【００１３】
上記課題を解決するためになされた本考案に係るシートセットは、当該支持部材用シートと、底板及び対向する一対の側板を有し、支持部材用シートから形成される支持部材を収容可能な包装箱に組み立て可能な包装箱用シートとを備え、上記一対の側辺の間隔が上記一対の側板の間隔と略等しく、かつ上記浮き上がり防止板の延出方向長さが上記側板の上下方向長さと略等しい。
【００１４】
当該シートセットは、当該支持部材用シートの支持板の一対の側辺の間隔が一対の側板の間隔と略等しいので、当該支持部材用シートから形成される支持部材が包装箱内に収容された状態で、支持板の一対の側辺の垂直方向におけるブレが抑制される。また、当該シートセットは、浮き上がり防止板の延出方向長さが側板の上下方向長さと略等しいので、上記支持部材が包装箱内に収容された状態で、支持板の上下方向のブレが抑制される。従って、当該シートセットは、種々のサイズの物品を包装箱内に十分安定的に保持することができる。また、当該シートセットは、当該支持部材用シートを備えるので、上述のように保管スペースを削減することができる。
【００１５】
なお、本考案において「上下方向」とは包装箱用シートを組み立ててなる包装箱における上下方向をいう。
【考案の効果】
【００１６】
以上説明したように、本考案に係る支持部材用シート及びシートセットは、種々のサイズの物品を包装箱内に安定的に保持することができると共に、保管スペースを削減することができる。
【図面の簡単な説明】
【００１７】
【図１】本考案の一実施形態に係る支持部材用シートを示す模式的平面図である。
【図２】本考案の一実施形態に係る包装箱用シートを示す模式的平面図である。
【図３】図１の支持部材用シートによる物品の固定手順を示す模式的裏面図である。
【図４】図３の固定手順の次の手順を示す模式的表面図である。
【図５】図１の支持部材用シートから形成される支持部材を図２の包装箱用シートを組み立ててなる包装箱に収容した状態を示す模式的表面断面図である。
【図６】図５のＡ−Ａ線部分断面図である。
【考案を実施するための形態】
【００１８】
以下、適宜図面を参照しつつ、本考案の実施の形態を詳説する。
【００１９】
［支持部材用シート］
図１の支持部材用シート１は、１枚の段ボールシートからなる。当該支持部材用シート１は、包装箱に収容される物品を支持する支持部材を形成する。当該支持部材用シート１は、対向する一対の側辺２ａ，２ｂ、及びこの一対の側辺２ａ，２ｂに垂直な他対の側辺２ｃ，２ｄを有する支持板２を備える。また、当該支持部材用シート１は、一対の側辺２ａ，２ｂの各両端部から対向方向に延出する４つの浮き上がり防止板３を有する。支持板２及び浮き上がり防止板３の境界には浮き上がり防止板３を支持板２の上面側に折り曲げ易くするための罫線が形成されている。この罫線としては、例えばシート表面を筋押しした構成のものが挙げられる。
【００２０】
当該支持部材用シート１を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２１】
（支持板）
一対の側辺２ａ，２ｂの中央の対向部分には一対の切欠き４ａ，４ｂが形成されている。この一対の切欠き４ａ，４ｂのうちの一方の切欠き４ｂの外縁は、一対の側辺２ａ，２ｂに平行な底部１１と、底部１１から突出する突出部１２と、突出部１２に形成されるスリット１３と、底部１１の端部及び側辺２ｂの内側端部を連結する一対の側部１４とを有する。一方、この一対の切欠き４ａ，４ｂのうちの他方の切欠き４ａの外縁は、一対の側辺２ａ，２ｂに平行な底部１５と、底部１５の端部及び側辺２ａの内側端部を連結する一対の側部１６とを有する。
【００２２】
また、他対の側辺２ｃ，２ｄの中央の対向部分には他対の切欠き５ａ，５ｂが形成されている。この他対の切欠き５ａ，５ｂのうちの一方の切欠き５ｂの外縁は、他対の側辺２ｃ，２ｄに平行な底部２１と、底部２１から突出する突出部２２と、突出部２２に形成されるスリット２３と、底部２１の端部及び側辺２ｄの内側端部を連結する一対の側部２４とを有する。一方、この他対の切欠き５ａ，５ｂのうちの他方の切欠き５ａの外縁は、他対の側辺２ｃ，２ｄに平行な底部２５と、底部２５の端部及び側辺２ｃの内側端部を連結する一対の側部２６とを有する。当該支持部材用シート１は、他対の切欠き５ａ，５ｂのうちの一方の切欠き５ｂの外縁が、底部２１、突出部２２及びスリット２３を有することによって、物品の形状等に合わせて一対の切欠き４ａ，４ｂ及び他対の切欠き５ａ，５ｂを使い分けることで物品をより適切に固定することができる。
【００２３】
支持板２は、平行な一対の側辺２ａ，２ｂ及び平行な他対の側辺２ｃ，２ｄが垂直に形成されることで、これらの側辺２ａ〜２ｄを外縁とする矩形状に４つの切欠き４ａ，４ｂ，５ａ，５ｂが形成された構成を有する。
【００２４】
一対の側辺２ａ，２ｂの長さ（一対の側辺２ａ，２ｂの外側端部間距離）は他対の側辺２ｃ，２ｄの長さ（他対の側辺２ｃ，２ｄの外側端部間距離）よりも大きいことが好ましい。一対の側辺２ａ，２ｂの長さが他対の側辺２ｃ，２ｄの長さよりも大きいことによって、後述する浮き上がり防止板３の延出方向と垂直な方向の幅を大きくすることができるので、浮き上がり防止板３の強度を高めて当該支持部材用シート１から形成される支持部材（以下、単に「支持部材」ともいう）の包装箱内における上下方向のブレをより的確に抑制し易い。
【００２５】
一対の切欠き４ａ，４ｂは、底部１１，１５と側部１４，１６とが垂直な略コ字状に形成されている。これにより、側部１４，１６は他対の側辺２ｃ，２ｄと平行に配されている。また、一対の切欠き４ａ，４ｂの深さは略同一とされている。
【００２６】
側部１４，１６の間隔Ｄ１（切欠き４ａにおける側部１４間の間隔、及び切欠き４ｂにおける側部１６間の間隔）の下限としては、５ｃｍが好ましく、８ｃｍがより好ましい。一方、側部１４，１６の間隔Ｄ１の上限としては、３０ｃｍが好ましく、２０ｃｍがより好ましい。上記間隔Ｄ１が上記下限に満たないと、幅方向の両端が側部１４，１６間に収まるように合成樹脂フィルムを巻き付け難くなるおそれがある。逆に、上記間隔Ｄ１が上記上限を超えると、間隔Ｄ１が大きくなり過ぎて、一対の切欠き４ａ，４ｂによる合成樹脂フィルムのガイド機能が低下するおそれがある。
【００２７】
他対の側辺２ｃ，２ｄの長さに対する一対の切欠き４ａ，４ｂの深さＤ２の比の下限としては、０．１が好ましく、０．１５がより好ましい。一方、上記比の上限としては、０．３が好ましく、０．２５がより好ましい。上記比が上記下限に満たないと、一対の切欠き４ａ，４ｂによって合成樹脂フィルムをガイドし難くなるおそれがある。逆に、上記比が上記上限を超えると、深さＤ２が不要に大きくなり、支持板２の強度が不十分となるおそれがある。
【００２８】
突出部１２は、底部１１の中央から突出している。突出部１２は、略半円状に形成されており、突出側の先端にＶ字状の切り込みを有する。また、突出部１２には、底部１１の伸長方向と垂直に伸びるスリット１３が形成されている。スリット１３は、上記切り込みの底部から突出部１２の基端縁にかけて直線状に伸びている。当該支持部材用シート１は、Ｖ字状の切り込みの底部からスリット１３が形成されることで、合成樹脂フィルムをスリット１３に挟み込み易くなっている。また、突出部１２の基端には折り曲げを容易にするための形成が形成されている。
【００２９】
突出部１２の突出方向長さは、切欠き４ｂの深さＤ２以下とされている。突出部１２の具体的突出方向長さとしては、例えば１ｃｍ以上５ｃｍ以下とすることができる。
【００３０】
スリット１３は、上述のようにＶ字状の切り込みの底部から形成されており、そのためスリット１３の長さは突出部１２の突出方向長さよりも短い。スリット１３の長さの下限としては、０．８ｃｍが好ましく、１ｃｍがより好ましい。一方、スリット１３の長さの上限としては、３ｃｍが好ましく、２ｃｍがより好ましい。スリット１３の長さが上記下限に満たないと、合成樹脂フィルムをスリット１３に的確に挟み込むことが困難になるおそれがある。逆に、スリット１３の長さが上記上限を超えると、合成樹脂フィルムをスリット１３に挟み込むための作業性が低下するおそれがある。
【００３１】
他対の切欠き５ａ，５ｂは、側部２４，２６の間隔が他対の側辺２ｃ，２ｄから底部２１，２５にかけて徐々に小さくなる略台形状に形成されている。当該支持部材用シート１は、このように他対の切り欠き５ａ，５ｂが略台形状に形成されていることで、他対の切り欠き５ａ，５ｂによってガイドしながら合成樹脂フィルムを巻き付け易い。他対の切欠き５ａ，５ｂの深さは略同一とされている。側部２４，２６の最小間隔は、一対の切欠き４ａ，４ｂの側部１４，１６の間隔と略等しい。また、他対の切欠き５ａ，５ｂの深さは、一対の切欠き４ａ，４ｂの深さと略等しい。
【００３２】
他対の切欠き５ａ，５ｂの底部２１，２５の間隔は、一対の切欠き４ａ，４ｂの底部１１，１５の間隔と異なることが好ましく、一対の切欠き４ａ，４ｂの底部１１，１５の間隔よりも大きいことがより好ましい。当該支持部材用シート１は、他対の切欠き５ａ，５ｂ底部２１，２５の間隔が一対の切欠き４ａ，４ｂの底部１１，１５の間隔と異なることによって、物品のサイズに合わせて切欠き４ａ，４ｂ，５ａ，５ｂを選択することで物品をより的確に固定することができる。
【００３３】
他対の切欠き５ａ，５ｂの底部２１，２５の間隔に対する一対の切欠き４ａ，４ｂの底部１１，１５の間隔の比の下限としては、０．４が好ましく、０．５がより好ましい。一方、上記比の上限としては、０．８が好ましく、０．７がより好ましい。上記比が上記下限に満たないと、一対の切欠き４ａ，４ｂの底部１１，１５の間隔が小さくなり過ぎて当該支持部材用シート１の強度が不十分となるおそれがある。逆に、上記比が上記上限を超えると、物品のサイズに合わせて一対の切欠き４ａ，４ｂと他対の切欠き５ａ，５ｂとを選択することによる物品の固定性向上効果が十分に得られないおそれがある。
【００３４】
突出部２２は、底部２１の中央から突出している。突出部２２及びスリット２３の形状は、一対の切欠き４ａ，４ｂのうちの一方の切欠き４ｂに設けられる突出部１２及びスリット１３と同様とすることができる。また、突出部２２の突出方向長さ及びスリットの長さは、一対の切欠き４ａ，４ｂのうちの一方の切欠き４ｂに設けられる突出部１２の突出方向長さ及びスリット１３の長さと同様とすることができる。
【００３５】
（浮き上がり防止板）
各浮き上がり防止板３は、基端（支持板２との連接部分）及び先端が平行な略矩形状に形成されている。４つの浮き上がり防止板３は、延出方向長さ（基端と垂直方向の長さ）が等しい。浮き上がり防止板３の内側の側縁は切欠き４ａ，４ｂの外縁から連続して形成されている。また、浮き上がり防止板３の外側の側縁は他対の側辺２ｃ，２ｄと同一直線状に形成されている。当該支持部材用シート１は、一対の側辺２ａ，２ｂの各両端部から対向方向に延出する浮き上がり防止板３を有することによって、この浮き上がり防止板３を包装箱の上下方向と平行に折り曲げて保持することで、支持部材の包装箱内における上下方向のブレを抑制することができ、物品の包装箱内における安定性をさらに向上することができる。また、当該支持部材用シート１は、浮き上がり防止板３の側縁が切欠きの４ａ，４ｂ外縁から連続して形成されていることによって、切欠き４ａ，４ｂの側部１４，１６間に幅方向の両端が収まるように合成樹脂フィルム巻き付け易く、これにより合成樹脂フィルムを容易に巻き付けることができる。さらに、当該支持部材用シート１は、浮き上がり防止板３の側縁が切欠きの４ａ，４ｂ外縁から連続して形成されていることによって、浮き上がり防止板３の延出方向と垂直な方向の幅を大きくして、この浮き上がり防止板３の強度を高め、支持部材の包装箱内における上下方向のブレをより的確に抑制することができる。
【００３６】
［包装箱用シート］
図２の包装箱用シート３１は、１枚の段ボールシートからなる。図２の包装箱用シート３１は、図１の支持部材用シート１から形成される支持部材を収容する包装箱に組み立てられる。包装箱用シート３１は、図１の支持部材用シート１と合わせて本考案に係るシートセットを構成する。包装箱用シート３１は、左右方向に連接される第１側面パネル３２〜第４側面パネル３５と、第１側面パネル３２〜第４側面パネル３５の上縁から延出する上フラップ３６〜３９と、第１側面パネル３２〜第４側面パネル３５の下縁から延出する下フラップ４０〜４３と、連接方向一端側の第１側面パネル３２の一端側端縁に連接される糊代部４４とを有する。包装箱用シート３１に用いられる段ボールシートとしては、特に限定されるものではなく、例えば図１の支持部材用シート１に用いられるものと同様の段ボールシートが挙げられる。なお、「左右方向」とは、包装箱用シート３１を組み立ててなる包装箱における左右方向をいう。
【００３７】
包装箱用シート３１を包装箱に組み立てる手順について説明する。まず、第１側面パネル３２〜第４側面パネル３５のうち、連接方向一端側の第１側面パネル３２及び連接方向他端側の第４側面パネル３５をこの順で内側に折り重ね、糊代部４４を第４側面パネル３５の内面に貼着することで四角筒状部を形成する。これにより、第１側面パネル３２〜第４側面パネル３５が包装箱の側板として形成される。次に、第２側面パネル３３の下縁から延出する下フラップ４１及び第４側面パネル３５の下縁から延出する下フラップ４３を内側に折り曲げ、続いて第１側面パネル３２の下縁から延出する下フラップ４０及び第３側面パネル３４の下縁から延出する下フラップ４２を内側に折り曲げて先端同士を突き合わせることで底板を形成する。さらに、第２側面パネル３３の上縁から延出する上フラップ３７及び第４側面パネル３５の上縁から延出する上フラップ３９を内側に折り曲げ、続いて第１側面パネル３２の上縁から延出する上フラップ３６及び第３側面パネル３４の上縁から延出する上フラップ３８を内側に折り曲げて先端同士を突き合わせることで天板を形成する。なお、一対の下フラップ４０，４２の突き合わせ部分及び一対の上フラップ３６，３８の突き合わせ部分は封函テープ等で適宜封止すればよい。
【００３８】
＜物品収容手順＞
次に、図３〜図６を参照して、当該シートセットにおける物品収容手順を説明する。なお、当該シートセットは、一対の切欠き４ａ，４ｂを用いて物品を固定してもよく、他対の切欠き５ａ，５ｂを用いて物品を固定してもよい。ここでは、一対の切欠き４ａ，４ｂを用いて物品を固定する手順について説明する（なお、他対の切欠き５ａ，５ｂを用いて物品を固定する手順も下記と同様に行うことが可能である）。
【００３９】
まず、図３に示すように、ロール状に巻回された帯状の合成樹脂フィルムＸの一端側を当該支持部材用シート１の一方の切欠き４ｂに形成されるスリット１３に挟み込む。
【００４０】
次に、図４に示すように、支持板２上に物品Ｙを載置する。具体的には、平面視における物品Ｙの外縁が当該支持部材用シート１の支持板２の４隅を頂点とする矩形状内に含まれるよう物品Ｙを支持板２上に載置する。この際、物品Ｙの側面が一対の側辺２ａ，２ｂと平行となるように物品Ｙを載置することが好ましい。そして、支持板２上に物品Ｙを載置した状態で、この物品Ｙの上面に合成樹脂フィルムＸを巻き付ける。
【００４１】
続いて、合成樹脂フィルムＸを支持部材用シート１及び物品Ｙに複数周巻き付け、合成樹脂フィルＸム同士をくっつけることで物品Ｙを支持部材用シート１に固定し、合成樹脂フィルムＸの他端側を切断する。なお、合成樹脂フィルムＸを支持部材用シート１及び物品Ｙに１周巻き付け、合成樹脂フィルムＸの他端側をスリット１３に挟み込み、挟み込んだ部分の先端側を切断することで物品Ｙを支持部材用シート１に固定してもよい。
【００４２】
次に、図５に示すように、４つの浮き上がり防止板３を物品Ｙ側に略９０°折り曲げて当該支持部材用シート１を支持部材６１として形成したうえ、この支持部材６１を図２の包装箱用シート３１を組み立ててなる包装箱５１に収容する。なお、支持部材６１は、包装箱用シート３１を底板まで組み立てた状態で底板上に載置され、この支持部材６１の載置後に包装箱５１の天板が組み立てられる。
【００４３】
支持部材６１は、一対の側辺２ａ，２ｂが第１側面パネル３２及び第３側面パネル３４から構成される一対の側板３２ａ，３４ａと平行となり、かつ他対の側辺２ｃ，２ｄが第２側面パネル３３及び第４側面パネル３５から構成される他対の側板３３ａ，３５ａと平行となるように包装箱５１内に収容される。
【００４４】
一対の側辺２ａ，２ｂの間隔は、一対の側板３２ａ，３４ａの間隔以下であり、かつ一対の側板３２ａ，３４ａの間隔と略等しいことが好ましい。支持部材６１は、支持板２の一対の側辺２ａ，２ｂの間隔が一対の側板３２ａ，３４ａの間隔と略等しいことによって、包装箱５１内における支持板２の一対の側辺２ａ，２ｂと垂直方向のブレが抑制される。具体的には、上記一対の側板３２ａ，３４ａの間隔と一対の側辺２ａ，２ｂの間隔との差の上限としては、２０ｍｍが好ましく、１５ｍｍがより好ましく、１０ｍｍがさらに好ましい。上記差が上記上限を超えると、包装箱５１内における支持部材６１の一対の側辺２ａ，２ｂと垂直方向のブレを抑制し難くなるおそれがある。なお、一対の側辺２ａ，２ｂの具体的間隔としては、例えば５ｃｍ以上４０ｃｍ以下とすることができる。
【００４５】
他対の側辺２ｃ，２ｄの間隔は、他対の側板３３ａ，３５ａの間隔以下であり、かつ他対の側板３３ａ，３５ａの間隔と略等しいことが好ましい。支持部材６１は、支持板２の他対の側辺２ｃ，２ｄの間隔が他対の側板３３ａ，３５ａの間隔と略等しいことによって、包装箱５１内における支持板２の他対の側辺２ｃ、２ｄと垂直方向のブレが抑制される。具体的には、他対の側板３３ａ，３５ａの間隔と他対の側辺２ｃ，２ｄの間隔との差の上限としては、２０ｍｍが好ましく、１５ｍｍがより好ましく、１０ｍｍがさらに好ましい。上記差が上記上限を超えると、包装箱５１内における支持部材６１の他対の側辺２ｃ，２ｄと垂直方向のブレを抑制し難くなるおそれがある。なお、他対の側辺２ａ，２ｂの具体的間隔としては、例えば１０ｃｍ以上５０ｃｍ以下とすることができる。
【００４６】
浮き上がり防止板３の延出方向長さは、支持部材６１が収容される包装箱５１の側板３２ａ〜３５ａの上下方向長さ以下であり、かつ側板３２ａ〜３５ａの上下方向長さと略等しいことが好ましい。支持部材６１は、図６に示すように、４つの浮き上がり防止板３の延出方向長さが側板３２ａ〜３５ａの上下方向長さと略等しいことによって、包装箱５１内に上下方向のブレが抑制される。具体的には、側板３２ａ〜３５ａの上下方向長さと浮き上がり防止板３の延出方向長さとの差の上限としては、５ｍｍが好ましく、３ｍｍがより好ましく、１ｍｍがさらに好ましい。上記差が上記上限を超えると、支持部材６１の包装箱５１内における上下方向のブレを抑制し難くなるおそれがある。
【００４７】
＜利点＞
当該支持部材用シート１は、支持板２の一対の側辺２ａ，２ｂの中央の対向部分に一対の切欠き４ａ，４ｂが形成されており、一方の切欠き４ｂの外縁が、一対の側辺２ａ，２ｂと平行な底部１１、この底部１１から突出する突出部１２及びこの突出部１２に形成されるスリット１３を有しているので、例えば帯状の合成樹脂フィルムＸの一端側をスリット１３に挟み込んだ状態で支持板２上に物品Ｙを載置し、この合成樹脂フィルムＸを物品Ｙに巻き付けることで種々のサイズの物品Ｙを固定することができる。当該支持部材用シート１は、合成樹脂フィルムＸの一端側をスリット１３に固定した状態でこの合成樹脂フィルムＸを物品Ｙに巻き付けることができるので巻き付け作業性に優れる。また、当該支持部材用シート１は、一対の切欠き４ａ，４ｂの形成部分が一対の側辺２ａ，２ｂの内側に凹んでいるため、この凹み部分によって合成樹脂フィルムＸをガイドすることができ、これにより合成樹脂フィルムＸを容易に巻き付けることができる。従って、当該支持部材用シート１から形成される支持部材６１は、種々のサイズの物品Ｙを包装箱５１内に安定的に保持することができる。さらに、当該支持部材用シート１は、１枚の平面状のシート体として保管することができるので、保管スペースを削減することができる。
【００４８】
当該シートセットは、当該支持部材用シート１の支持板２の一対の側辺２ａ，２ｂの間隔が一対の側板３２ａ，３４ａの間隔と略等しいので、当該支持部材用シート１から形成される支持部材６１が包装箱５１内に収容された状態で、支持板２の一対の側辺２ａ，２ｂの垂直方向におけるブレが抑制される。また、当該シートセットは、浮き上がり防止板３の延出方向長さが側板３２ａ〜３５ａの上下方向長さと略等しいので、支持部材６１が包装箱５１内に収容された状態で、支持板２の上下方向のブレが抑制される。従って、当該シートセットは、種々のサイズの物品Ｙを包装箱５１内に十分安定的に保持することができる。また、当該シートセットは、当該支持部材用シート１を備えるので、上述のように保管スペースを削減することができる。
【００４９】
［その他の実施形態］
なお、本考案に係る支持部材用シート及びシートセットは、上記態様の他、種々の変更、改良を施した態様で実施することができる。例えば当該支持部材用シートは、必ずしも支持板が一対の側辺に垂直な他対の側辺を有していなくてもよい。また、当該支持部材用シートは、支持板が上記他対の側辺を有する場合でも、この他対の側辺の中央の対向部分に他対の切欠きが形成されていなくてもよい。さらに、当該支持部材用シートは、他対の側辺の中央の対向部分に他対の切欠きが形成される場合でも、この他対の切欠きの形状は特に限定されるものではない。
【００５０】
当該支持部材用シートは、必ずしも一対の側辺の各両端部から対向方向に延出する浮き上がり防止板を有していなくてもよい。また、浮き上がり防止板を有する場合でも、この浮き上がり防止板は、必ずしも一対の側辺の各両端部から対向方向に延出する必要はなく、例えば他対の側辺から対向方向に延出していてもよい。さらに、この浮き上がり防止板は、一対の側辺の各両端部から対向方向に延出する場合でも、この浮き上がり防止板の側縁は切欠きの外縁から連続していなくてもよい。
【産業上の利用可能性】
【００５１】
以上のように、本考案の支持部材用シートは種々のサイズの物品を包装箱内に安定的に保持することができるので、包装箱内における物品の損傷等を防止するのに適している。
【符号の説明】
【００５２】
１  支持部材用シート
２  支持板
２ａ〜２ｄ  側辺
３  浮き上がり防止板
４ａ，４ｂ  切り欠き
５ａ，５ｂ  切り欠き
１１，１５，２１，２５  底部
１２，２２  突出部
１３，２３  スリット
１４，１６，２４，２６  側部
３１  包装箱用シート
３２〜３５  側面パネル
３２ａ〜３５ａ  側板
３６〜３９  上フラップ
４０〜４３  下フラップ
４４  糊代部
５１  包装箱
６１  支持部材
Ｘ  フィルム
Ｙ  物品
【図１】
0003206423.tif 000003
【図２】
0003206423.tif 000004
【図３】
0003206423.tif 000005
【図４】
0003206423.tif 000006
【図５】
0003206423.tif 000007
【図６】
0003206423.tif 000008